(57)【要約】【課題】ハウジングの左右の側壁の強度が低い場合でも、コネクタの挿入口に挿入された相手コネクタに左方向または右方向に加わった荷重によってシェルが破損することを防止する。【解決手段】コネクタ１のハウジング１５には、下壁部１７、左壁部１８、右壁部１９および上壁部２０を有する筒状に形成されたコネクタ接続部１６が設けられ、コネクタ接続部１６には、下壁板３２、左壁板３３、右壁板３４および上壁板３５を有する筒状の前側シェル３１が取り付けられ、前側シェル３１の下壁板３２はコネクタ接続部１６の切込部２３内に入ることにより下壁部１７の内面上方に配置されている。また、下壁板３２の前端部には下壁部１７の外面側へ延びた延出部３８が形成され、下壁部１７の前端部には延出部３８の左右方向の移動を規制する移動規制凹部２５が設けられている。【選択図】図２
2019192604.tif 000002
【特許請求の範囲】
【請求項１】
相手コネクタが接続されるコネクタ接続部を有するハウジングと、
前記コネクタ接続部に取り付けられたシェルとを備え、
前記コネクタ接続部は、軸線が前後方向に延び、第１の壁部、前記第１の壁部の左側に位置する第２の壁部、前記第１の壁部の右側に位置する第３の壁部、および前記第１の壁部に対向する第４の壁部を有する筒状に形成され、
前記コネクタ接続部の前側には前記相手コネクタが挿入される挿入口が設けられ、
前記第２の壁部および前記第３の壁部のそれぞれにはその前端から後方へ切れ込む切込部が形成され、
前記シェルは、軸線が前後方向に延び、第１の壁板、前記第１の壁板の左側に位置する第２の壁板、前記第１の壁板の右側に位置する第３の壁板、および前記第１の壁板に対向する第４の壁板を有する筒状に形成され、
前記第１の壁板は前記各切込部内に入ることにより前記第１の壁部の内面上方に配置され、
前記第２ないし第４の壁板は前記第２ないし第４の壁部の外面をそれぞれ覆い、
前記第１の壁板の前端部には前記第１の壁部の外面側へ延びた延出部が形成されていることを特徴とするコネクタ。
【請求項２】
前記第１の壁部の前端部には前記延出部の左右方向の移動を規制する規制部が設けられていることを特徴とする請求項１に記載のコネクタ。
【請求項３】
前記規制部は、前記第１の壁部の前端面に形成された凹部であり、当該凹部内には前記延出部が入っていることを特徴とする請求項２に記載のコネクタ。
【請求項４】
前記延出部は前記第１の壁部の外面側に向かって円弧状に湾曲しつつ延びていることを特徴とする請求項１ないし３のいずれかに記載のコネクタ。
【発明の詳細な説明】
【技術分野】
【０００１】
本発明は、端子をシールドするシェルを備えたコネクタに関する。
【背景技術】
【０００２】
高周波信号の伝送に用いられるコネクタには、コネクタの端子の外周側を、導電性を有する部材によって空間または絶縁体を介して包囲することにより、シールドが形成される。シールドを形成することにより、端子内を流れる高周波信号の外部への漏洩、または外来ノイズの上記高周波信号への混入を抑制することができる。例えば、シールドは、端子を収容する樹脂製のコネクタハウジングに金属製のシェルを取り付けることにより形成される（下記の特許文献１を参照）。
【先行技術文献】
【特許文献】
【０００３】
【特許文献１】特開２０１２−６９３５４号公報
【発明の概要】
【発明が解決しようとする課題】
【０００４】
高周波信号の伝送に用いられる多くのコネクタは、樹脂等の絶縁材料により筒状に形成され、前側に相手コネクタが挿入される挿入口が形成され、内部に端子を収容したハウジングと、金属等の導電材料により筒状に形成され、ハウジングの周壁の外面または内面を包囲するように、ハウジングに取り付けられたシェルとを備えている。そして、シェルは、一枚の金属板を折り曲げ、当該金属板の一方の縁部と他方の縁部とを互いに連結させることにより筒状に形成されている。当該金属板の一方の縁部と他方の縁部とは、例えば、一方の縁部に形成された凹部と、他方の縁部に形成された凸部とを互いに係合させることにより連結されている。また、シェルにおいて、当該シェルを形成する金属板の一方の縁部と他方の縁部とが連結した部分は、シェルの下部に配置されることが多い。
【０００５】
このような構造を有するコネクタにおいては次のような問題がある。すなわち、コネクタが基板に固定され、コネクタの挿入口に相手コネクタが挿入された状態で、相手コネクタに左方向または右方向に１０Ｋｇ程度の荷重が加わったとき（相手コネクタにこのような荷重が加わりコネクタが左右にこじられたとき）、シェルが破損してしまうおそれがある。具体的には、シェルを形成する金属板の一方の縁部と他方の縁部とが分離してしまうことがある。この現象は、ハウジングの左右の側壁における挿入口付近の部分の強度が低い場合に生じ易くなる。
【０００６】
すなわち、コネクタの挿入口に挿入された相手コネクタに左方向または右方向に荷重が加わったとき、ハウジングの左側または右側の側壁の前部（挿入口付近の部分）を左または右に拡げようとする力がコネクタに加わる。ハウジングの左右の側壁の強度が高く、この力をハウジングの左右の側壁で十分に受けることができる場合には、この力によりハウジングの左右の側壁はいずれも拡がらない。それゆえ、ハウジングに取り付けられたシェルの左右の側壁も拡がらず、シェルを形成する金属板の一方の縁部と他方の縁部とが分離することはない。一方、ハウジングの左右の側壁の強度が低く、上記力をハウジングの左右の側壁で十分に受けることができない場合には、その力によりハウジングの左側または右側の側壁の前部が左または右に拡がる。これに伴い、シェルの左側または右側の側壁の前部も左または右に拡がり、その結果、シェルを形成する金属板の一方の縁部と他方の縁部とが引き離されてしまうおそれがある。
【０００７】
例えば、コネクタの設計上の要求により、ハウジングの左右の側壁の前部に切込を形成した場合、ハウジングの左右の側壁の強度が低下する。この場合には、コネクタの挿入口に挿入された相手コネクタに左方向または右方向に加わった荷重により、シェルを形成する金属板の一方の縁部と他方の縁部とが分離する現象が生じ易くなる。
【０００８】
本発明は例えば上述したような問題に鑑みなされたものであり、本発明の課題は、ハウジングの左右の側壁の強度が低い場合でも、コネクタの挿入口に挿入された相手コネクタに左方向または右方向に加わった荷重によってシェルが破損することを防止することができるコネクタを提供することにある。
【課題を解決するための手段】
【０００９】
上記課題を解決するために、本発明のコネクタは、相手コネクタが接続されるコネクタ接続部を有するハウジングと、コネクタ接続部に取り付けられたシェルとを備え、コネクタ接続部は、軸線が前後方向に延び、第１の壁部、第１の壁部の左側に位置する第２の壁部、第１の壁部の右側に位置する第３の壁部、および第１の壁部に対向する第４の壁部を有する筒状に形成され、コネクタ接続部の前側には相手コネクタが挿入される挿入口が設けられ、第２の壁部および第３の壁部のそれぞれにはその前端から後方へ切れ込む切込部が形成され、シェルは、軸線が前後方向に延び、第１の壁板、第１の壁板の左側に位置する第２の壁板、第１の壁板の右側に位置する第３の壁板、および第１の壁板に対向する第４の壁板を有する筒状に形成され、第１の壁板は各切込部内に入ることにより第１の壁部の内面上方に配置され、第２ないし第４の壁板は第２ないし第４の壁部の外面をそれぞれ覆い、第１の壁板の前端部には第１の壁部の外面側へ延びた延出部が形成されていることを特徴とする。
【００１０】
また、上記本発明のコネクタにおいて、第１の壁部の前端部には延出部の左右方向の移動を規制する規制部が設けられていることが好ましい。また、上記本発明のコネクタにおいて、規制部が、第１の壁部の前端面に形成された凹部であり、当該凹部内に延出部が入っている構成としてもよい。また、上記本発明のコネクタにおいて、延出部が第１の壁部の外面側に向かって円弧状に湾曲しつつ延びている構成としてもよい。
【発明の効果】
【００１１】
本発明によれば、ハウジングの左右の側壁の強度が低い場合でも、コネクタの挿入口に挿入された相手コネクタに左方向または右方向に加わった荷重によってシェルが破損することを防止することができる。
【図面の簡単な説明】
【００１２】
【図１】本発明の実施形態のコネクタ、コネクタが取り付けられた基板、相手コネクタ、および相手コネクタに取り付けられたケーブルを示す説明図である。
【図２】本発明の実施形態のコネクタを右上前方から見た外観図である。
【図３】図２中のコネクタを前方から見た外観図である。
【図４】図２中のコネクタを右下前方から見た外観図である。
【図５】図２中のコネクタの分解図である。
【図６】図２中のコネクタにおいてハウジングから前側シェルを分離させた状態を示す説明図である。
【図７】図４中のコネクタにおいてハウジングから前側シェルを分離させた状態を示す説明図である。
【図８】本発明の実施形態のコネクタにおいて前側シェルの延出部のいくつかの変形例を示す説明図である。
【発明を実施するための形態】
【００１３】
本発明のコネクタの実施形態について説明する。なお、実施形態の説明において、説明の便宜上、コネクタの形状、配置または動作等に関し、前（Ｆ）、後（Ｂ）、左（Ｌ）、右（Ｒ）、上（Ｕ）、下（Ｄ）の方向を述べる際には、図中の右下に描いた矢印に従う。
【００１４】
図１に示すように、本発明の実施形態のコネクタ１はレセプタクルであり、基板５６に取り付けられ、また、相手コネクタ５７と接続される。なお、相手コネクタ５７にはケーブル５９が取り付けられている。コネクタ１は、図５に示すように、複数の端子３、ハウジング１５、前側シェル３１および後側シェル５１を備えている。
【００１５】
各端子３は、例えば銅合金等の導電材料により、略クランク状に屈曲した細長い板状に形成されている。
【００１６】
ハウジング１５は、図６に示すように、例えば樹脂等の絶縁材料により略箱状に形成されている。また、ハウジング１５の前部には、相手コネクタ５７が接続されるコネクタ接続部１６が設けられている。コネクタ接続部１６は、軸線が前後方向に延びる角筒状に形成され、第１の壁部としての下壁部１７、下壁部１７の左側に位置する第２の壁部としての左壁部１８、下壁部１７の右側に位置する第３の壁部として右壁部１９、および下壁部１７に対向する第４の壁部としての上壁部２０を有している。また、コネクタ接続部１６の前側には相手コネクタ５７が挿入される挿入口２１が設けられている。相手コネクタ５７は挿入口２１からコネクタ接続部１６の内部に入ることによりコネクタ１と接続される。
【００１７】
また、コネクタ接続部１６の左壁部１８および右壁部１９のそれぞれにおいて下壁部１７に近い端側部分、すなわち、左壁部１８および右壁部１９のそれぞれの下端部には、前側シェル３１の下壁板３２をコネクタ接続部１６内に入れるための切込部２３が形成されている。左側の切込部２３は左壁部１８の下端部の前端から後方へ切れ込んでおり、右側の切込部２３は右壁部１９の下端部の前端から後方へ切れ込んでいる。左側の切込部２３が形成されていることにより、下壁部１７の上面の左前部が左壁部１８の左面（外面）に対応する位置まで左方に拡がっている。同様に、右側の切込部２３が形成されていることにより、下壁部１７の上面の右前部が右壁部１９の右面（外面）に対応する位置まで右方に拡がっている。また、下壁部１７の上面の後部には段部２４が形成されており、下壁部１７の上面において段部２４を超えた後側の領域が、その前側の領域よりも高くなっている。
【００１８】
また、コネクタ接続部１６の下壁部１７の前端部には、前側シェル３１の延出部３８の左右方向の移動を規制する規制部としての移動規制凹部２５が設けられている。移動規制凹部２５は下壁部１７の前端面に形成された凹部である。移動規制凹部２５は、下壁部１７の前端面の左右方向中央を中心として左右方向に広い範囲に形成されている。また、移動規制凹部２５は、図７に示すように、下壁部１７の前端面から下壁部１７の下面の前端部に亘って形成されている。
【００１９】
また、図６に示すように、コネクタ接続部１６の左壁部１８の左面上部および右壁部１９の右面上部には、前側シェル３１を係止するための係止凹部２６がそれぞれ形成されている。また、図３に示すように、コネクタ接続部１６内には、コネクタ接続部１６の奥側に位置するハウジング１５の内面から前方へ突出した嵌合部２７が設けられ、嵌合部２７には、各端子３の前端部が配置されている。
【００２０】
前側シェル３１は、図６に示すように、導電材料、例えばステンレス鋼等の金属材料により、軸線が前後方向に延びる角筒状に形成され、第１の壁板としての下壁板３２、下壁板３２の左側に位置する第２の壁板としての左壁板３３、下壁板３２の右側に位置する第３の壁板としての右壁板３４、および下壁板３２に対向する第４の壁板としての上壁板３５を有している。
【００２１】
前側シェル３１は、図２に示すように、ハウジング１５のコネクタ接続部１６に取り付けられる。具体的には、下壁板３２は、コネクタ接続部１６に形成された各切込部２３内に入ることによりコネクタ接続部１６の下壁部１７の上面（内面）の上方に配置される。すなわち、図７に示すように、左壁板３３の下縁側から下壁板３２の左縁側にかけての部分の前部、および右壁板３４の下縁側から下壁板３２の右縁側にかけての部分の前部には、切込部２３内に入る挿通部４１がそれぞれ形成されている。各挿通部４１は左壁板３３および右壁板３４のそれぞれの下部の前側部分から下方へ僅かに延びた後、内側に折れ曲がり、その後、内側へ延びて下壁板３２の左部および右部の前側部分に達している。また、各挿通部４１の前後方向の長さは、下壁板３２の中央部の前後方向の長さよりも短く、例えば下壁板３２の中央部の前後方向の長さのおよそ半分以下である。また、各挿通部４１の前縁４１Ａは、左壁板３３および右壁板３４の前縁３３Ａ、３４Ａよりも後退している。各挿通部４１は切込部２３内に前方から入り、図４に示すように、前側シェル３１がコネクタ接続部１６に取り付けられた状態では、各挿通部４１が切込部２３の奥まで入り、各挿通部４１の前縁４１Ａがハウジング１５の下壁部１７、左壁部１８、右壁部１９のそれぞれの前縁よりも後方に位置する。
【００２２】
また、下壁板３２の後側の端面は、下壁部１７の上面の後部に形成された段部２４に接近または接触している。すなわち、段部２４は、図６に示すように、下壁部１７の上面の外側領域の前部において、切込部２３の奥の後面と連続して内側へ延びる部分２４Ａと、下壁部１７の上面の中央側領域を後方へ延びる部分２４Ｂと、下壁部１７の上面の中央側領域の後部を左右方向に延びる部分２４Ｃとを有している。前側シェル３１がコネクタ接続部１６に取り付けられた状態では、図２に示すように、下壁板３２の後側の左端面および右端面が段部２４の部分２４Ｂに接近または接触しており、下壁板３２の後端面が段部２４の部分２４Ｃに接近または接触している。また、各挿通部４１の後端面が段部２４の部分２４Ａに接近または接触している。なお、図２および図６において、段部２４のうちハウジング１５の右側の壁部等に隠れている部分を破線で示している。また、前側シェル３１がコネクタ接続部１６に取り付けられた状態において、前側シェル３１の下壁板３２の上面と、ハウジング１５の下壁部１７において段部２４よりも後側部分（部分２４Ａよりも後側でかつ部分２４Ｂよりも外側の部分、および部分２４Ｃよりも後側の部分）の上面との上下方向の位置が一致し、これらの面が同一平面内に配置される。
【００２３】
また、前側シェル３１の左壁板３３はコネクタ接続部１６の左壁部１８の左面（外面）を覆い、右壁板３４はコネクタ接続部１６の右壁部１９の右面（外面）を覆い、上壁板３５はコネクタ接続部１６の上壁部２０の上面（外面）を覆う。また、前側シェル３１は、図７に示すように、左壁板３３の上部および右壁板３４の上部にそれぞれ形成された係止片３６と、コネクタ接続部１６の左壁部１８および右壁部１９にそれぞれ形成された係止凹部２６との係止により、コネクタ接続部１６に固定される。
【００２４】
また、左壁板３３の下部および右壁板３４のそれぞれの下部には接続片３７が形成されている。各接続片３７は、左壁板３３および右壁板３４のそれぞれの下部において、挿通部４１が接続された部分の後方の部分から下方へ延びている。図１に示すように、各接続片３７は基板５６に固定され、基板５６のグランド回路に接続される。
【００２５】
また、図２に示すように、前側シェル３１の下壁板３２の前端部には、コネクタ接続部１６の下壁部１７の外面側に向かって下方へ延びた延出部３８が形成されている。延出部３８は移動規制凹部２５内に入り、移動規制凹部２５内において下方へ延在している。また、図６に示すように、延出部３８は下壁部１７の外面側に向かって円弧状に湾曲しつつ延びている。延出部３８の下端は、図４に示すように、移動規制凹部２５内において下壁部１７の下面の前端部に位置する部分に達している。また、延出部３８は、移動規制凹部２５の左端から右端に亘って拡がっており、延出部３８の左端面は移動規制凹部２５内の左面に接近または接触し、延出部３８の右端面は移動規制凹部２５内の右面に接近または接触している。このように延出部３８が移動規制凹部２５内に入り込んでいることにより、延出部３８の左右方向の移動が移動規制凹部２５により規制されている。
【００２６】
また、延出部３８が移動規制凹部２５内に入った状態で、延出部３８において最も前方に張り出した部分の前面は、下壁部１７の前端面と前後方向において揃っているか、下壁部１７の前端面よりも後方に位置している。このように、延出部３８が下壁部１７の前端面よりも前方に突出していないので、工具等が延出部３８の左端面または右端面に接触することがない。これにより、工具等との接触により延出部３８が変形してしまうことを防止することができる。また、延出部３８において最も下方に位置する部分の前面は、下壁部１７の下面と上下方向において揃っているか、下壁部１７の下面よりも上方に位置している。このように、延出部３８が下壁部１７の下面よりも下方に突出していないので、延出部３８が基板５６と接触することがない。これにより、延出部３８が基板５６の上面に当たってコネクタ１が基板５６の上面に対して前後に傾いてしまうことを防止することができる。
【００２７】
また、前側シェル３１は、一枚の金属板を折り曲げ、当該金属板の一方の縁部と他方の縁部とを互いに連結させることにより筒状に形成されている。当該金属板の一方の縁部と他方の縁部とは、一方の縁部に形成された凹部と、他方の縁部に形成された凸部とを互いに係合させることにより連結されている。図２に示すように、前側シェル３１には、当該前側シェル３１を形成している金属板の一方の縁部と他方の縁部とが互いに連結された連結部３９が形成され、連結部３９は下壁板３２に配置されている。
【００２８】
後側シェル５１は、導電材料により形成され、図４および図５に示すように、ハウジング１５の後部に取り付けられる。後側シェル５１は、ハウジング１５の後方から外部に出ている各端子３の後方であって各端子３から若干離れた位置に配置され、各端子３を覆っている。また、後側シェル５１には、左右の壁部から前方に突出する側板部５２が設けられ、各側板部５２には複数の接触片５３が設けられている。これら側板部５２および接触片５３は、ハウジング１５に形成された、図示しない連通穴を通って、ハウジング１５の後方からコネクタ接続部１６内に入り、図２および図３に示すように、コネクタ接続部１６内における左右の端側にそれぞれ配置される。また、図４に示すように、後側シェル５１には、それぞれ下方へ延びた一対の接続片５４が形成されている。図１に示すように、各接続片５４は基板５６のグランド回路に接続される。
【００２９】
挿入口２１からコネクタ接続部１６内に相手コネクタ５７が挿入されたときには、コネクタ１の嵌合部２７が相手コネクタ５７の先端面に形成された嵌合穴内に嵌合し、コネクタ１の各端子３が相手コネクタ５７の嵌合穴内に配置された各端子と接触する。また、コネクタ接続部１６内に相手コネクタ５７が挿入されたときには、コネクタ接続部１６の下壁部１７の内面上方に配置された前側シェル３１の下壁板３２の上面、およびコネクタ接続部１６内の左右の端側に配置された後側シェル５１の各接触片５３が、相手コネクタ５７に設けられた相手シェル５８（図１参照）に接触する。コネクタ１の前側シェル３１および後側シェル５１、並びに相手コネクタ５７の相手シェル５８により、コネクタ１の各端子３および相手コネクタ５７の各端子がシールドされる。
【００３０】
以上、説明した通り、本発明の実施形態のコネクタ１において、前側シェル３１の下壁板３２の前端部にはコネクタ接続部１６の下壁部１７の外面側へ延びた延出部３８が形成され、下壁部１７の前端部には延出部３８の左右方向の移動を規制する移動規制凹部２５が設けられている。これにより、コネクタ１が基板５６に固定され、コネクタ接続部１６内に相手コネクタ５７が挿入された状態で、相手コネクタ５７に左方向または右方向に１０Ｋｇ程度の荷重が加わったときに、前側シェル３１が破損することを防止することができる。具体的には、前側シェル３１の下壁板３２には、前側シェル３１を形成している金属板の一方の縁部と他方の縁部とが連結した連結部３９が配置されているが、この連結部３９において連結している金属板の一方の縁部と他方の縁部とが、コネクタ接続部１６内に挿入された相手コネクタ５７に左方向または右方向に加わった荷重によって分離することを防止することができる。
【００３１】
すなわち、コネクタ接続部１６内に挿入された相手コネクタ５７に上記荷重が加わったとき、コネクタ接続部１６の左壁部１８または右壁部１９の前部（挿入口２１付近の部分）、および前側シェル３１の左壁板３３または右壁板３４の前部を左または右に拡げようとする力がコネクタ１に加わる。前側シェル３１の左壁板３３の前部を左に拡げようとする力が加わったときには、前側シェル３１の下壁板３２を左に移動させようとする力が下壁板３２に加わる。また、前側シェル３１の右壁板３４の前部を右に拡げようとする力が加わったときには、前側シェル３１の下壁板３２を右に移動させようとする力が下壁板３２に加わる。しかしながら、前側シェル３１の下壁板３２には延出部３８が設けられ、この延出部３８が移動規制凹部２５内に入っており、延出部３８の左右方向の移動が移動規制凹部２５により規制されているので、下壁板３２を左または右に移動させようとする力が加わっても、下壁板３２の左方向または右方向の移動は延出部３８および移動規制凹部２５によって抑えられる。これにより、前側シェル３１を形成している金属板の一方の縁部と他方の縁部との分離を防止することができる。本実施形態のコネクタ１においては、コネクタ接続部１６の左壁部１８および右壁部１９に切込部２３がそれぞれ形成されているので、切込部２３が形成されていない場合と比較して、左壁部１８および右壁部１９の強度が低い。しかしながら、コネクタ１には延出部３８および移動規制凹部２５が設けられているので、コネクタ接続部１６内に挿入された相手コネクタ５７に加わった上記荷重により、前側シェル３１を形成している金属板の一方の縁部と他方の縁部との分離を防止することができる。
【００３２】
また、延出部３８および移動規制凹部２５によって前側シェル３１の下壁板３２の左右方向の移動を規制することができるので、前側シェル３１の強度、および前側シェル３１が取り付けられているコネクタ接続部１６の強度をそれぞれ高めることができ、これにより、コネクタ１全体の強度を高めることができる。
【００３３】
また、本発明の実施形態のコネクタ１においては、前側シェル３１の延出部３８の左右方向の移動を規制する手段（規制部）を、コネクタ接続部１６の下壁部１７の前端面に形成された移動規制凹部２５により構成したから、延出部３８の左右方向の移動を規制する手段を容易に形成することができる。また、前側シェル３１をコネクタ接続部１６にその前方から取り付けることにより、延出部３８を移動規制凹部２５に入れることができる。したがって、延出部３８の左右方向の移動を規制する手段をコネクタ１に設けることによってコネクタ１の組立作業が複雑化することを防止することができる。
【００３４】
また、本発明の実施形態のコネクタ１において、延出部３８は下壁部１７の外面側に向かって円弧状に湾曲しつつ延びている。これにより、延出部３８の強度を高めることができ、コネクタ接続部１６内に挿入された相手コネクタ５７に加わった上記荷重により延出部３８が変形することを防止することができる。また、延出部３８を介して前側シェル３１の下壁板３２とコネクタ接続部１６の下壁部１７との結合を強めることができ、コネクタ１の強度を高めることができる。
【００３５】
また、本発明の実施形態のコネクタ１においては、前側シェル３１の下壁板３２の後側の端面が、下壁部１７の上面に形成された段部２４（特に部分２４Ｂ）に接近または接触している。この構成によっても、前側シェル３１において連結部３９によって連結している金属板の一方の縁部と他方の縁部とが、コネクタ接続部１６内に挿入された相手コネクタ５７に左方向または右方向に加わった荷重によって分離することを防止することができる。また、前側シェル３１の各接続片３７が基板５６に固定されている構成によっても、前側シェル３１において連結部３９により連結している金属板の縁部が上記荷重によって分離することを防止することができる。
【００３６】
なお、上記実施形態のコネクタ１では、図８（１）に示すように、前側シェル３１の延出部３８の形状を円弧状に湾曲した形状とした。しかしながら、本発明はこれに限らない。例えば、図８（２）に示す前側シェル６３のように、延出部６４の形状を、下壁部１７の外面側に向かって直線状に延びた形状としてもよい。また、図８（３）に示す前側シェル６５のように、延出部６６の形状をコ字状としてもよいし、図８（４）に示す前側シェル６７のように、延出部６８の形状をく字状としてもよい。
【００３７】
また、上記実施形態のコネクタ１では、延出部３８の左右方向の移動を規制するために、下壁部１７の前端面に移動規制凹部２５を形成し、移動規制凹部２５内に延出部３８を入れる構成としたが、これに代え、下壁部１７の前端面に左右一対の凸部を形成し、これらの凸部で延出部３８を挟む構成としてもよい。
【００３８】
また、上記実施形態のコネクタ１では、延出部３８を移動規制凹部２５内に入れることによって延出部３８の左右方向の移動を規制する構成としたが、これに加え、またはこれに代え、延出部３８の延出端側をはんだ付けまたは係止等の方法により基板５６に固定することによって延出部３８の左右方向の移動を規制してもよい。
【００３９】
また、上記実施形態のコネクタ１では、コネクタ接続部１６の下壁部１７に移動規制凹部２５を形成し、前側シェル３１の下壁板３２に延出部３８を形成したが、連結部３９がコネクタ接続部１６の上壁部２０に配置されている場合には、移動規制凹部２５を上壁部２０に形成し、延出部３８を前側シェル３１の上壁板３５に形成してもよい。
【００４０】
また、本発明のコネクタにおいて、前側シェルの延出部が円弧状に湾曲している構成、または延出部の延出端側が基板に固定された構成等により、前側シェルの強度を十分に高めることができる場合には、移動規制凹部（規制部）を形成しなくてもよい。また、本発明のコネクタにおいて、端子の本数や形状は限定されない。
【００４１】
また、本発明は、請求の範囲および明細書全体から読み取ることのできる発明の要旨または思想に反しない範囲で適宜変更可能であり、そのような変更を伴うコネクタもまた本発明の技術思想に含まれる。
【符号の説明】
【００４２】
１  コネクタ
１５  ハウジング
１６  コネクタ接続部
１７  下壁部（第１の壁部）
１８  左壁部（第２の壁部）
１９  右壁部（第３の壁部）
２０  上壁部（第４の壁部）
２１  挿入口
２３  切込部
２５  移動規制凹部（規制部）
３１、６３、６５、６７  前側シェル（シェル）
３２  下壁板（第１の壁板）
３３  左壁板（第２の壁板）
３４  右壁板（第３の壁板）
３５  上壁板（第４の壁板）
３８、６４、６６、６８  延出部
５７  相手コネクタ
【図１】
2019192604.tif 000003
【図２】
2019192604.tif 000004
【図３】
2019192604.tif 000005
【図４】
2019192604.tif 000006
【図５】
2019192604.tif 000007
【図６】
2019192604.tif 000008
【図７】
2019192604.tif 000009
【図８】
2019192604.tif 000010